(57)【特許請求の範囲】
【請求項１】
マスカラ顔料が貯蔵される容器本体と、
前記容器本体に結合固定されるパッキングと、
前記パッキングにヒンジ結合されて前記パッキングの管路を塞ぐドアと、
前記パッキングとドアのヒンジ部に設置される一方、その両端部がそれぞれパッキングとドアに支持されて、ドアをパッキング側に弾圧支持する弾性部材と、
前記ドアの内側に形成されてブラシが引出される時前記ブラシがドアに押されないようにする押圧防止手段を含む、ドア機能を有し、抗菌成分を含有する抗菌マスカラ容器であって、
前記パッキングは、内側パッキングと前記内側パッキングの外周を囲む外側パッキングとで構成され、
前記内側パッキングの下端部は、前記外側パッキングの下端部の端面よりも上側に位置し、
前記内側パッキングの内部には、上部から下部に行くほどその直径が漸次に凹んで狭くなる、断面の輪郭形状が円形の第１の管路が形成され、
前記外側パッキングにおける、前記内側パッキングの下端部よりも下側に位置する内部には、前記第１の管路と連通する第２の管路が形成され、
前記外側パッキングの下端部は、前記弾性部材によりパッキング側に弾圧支持される前記ドアの内側と接することにより、前記第２の管路を塞いだ状態に密閉して、該第２の管路および前記第１の管路を遮断するように形成され、
前記内側パッキングの下端部と、該内側パッキングの下端部と同じ高さに位置する前記外側パッキングの内壁面との間には、該内側パッキングの下端部が、前記ブラシが引出し方向に前記パッキングを通過する過程で、該ブラシをワイピングしながら弾性変形可能なギャップが形成されている
ことを特徴とするドア機能を有し、抗菌成分を含有する抗菌マスカラ容器。
【請求項２】
前記押圧防止手段は、前記ドアの内側方向に突出したリブで構成されていることを特徴とする請求項１に記載のドア機能を有し、抗菌成分を含有する抗菌マスカラ容器。
【請求項３】
前記リブは三角形形状に形成されていることを特徴とする請求項２に記載のドア機能を有し、抗菌成分を含有する抗菌マスカラ容器。
【請求項４】
抗菌成分は１〜３重量％のシルバーを含有するシルバーグラスで、マスカラ容器に０．１〜３重量％含有されていることを特徴とする請求項１に記載のドア機能を有し、抗菌成分を含有する抗菌マスカラ容器。
【請求項５】
抗菌成分をマスカラ容器、パッキング、ドア、ブラシバー及びブラシの中の少なくとも一つ以上に含むことを特徴とする請求項１に記載の抗菌マスカラ容器。
【発明の詳細な説明】
【技術分野】
【０００１】
本発明は、ドア機能を有する抗菌マスカラ容器に関し、さらに詳しくは、容器本体で蓋と一体に構成されたブラシがパッキングを通過する時ブラシに付いたマスカラ顔料がブラシに均等に付けられた状態でワイピングされるようにするドア機能を有するようにし、また、微生物の繁殖を抑制することができるように開発した抗菌剤が含有されたマスカラ容器に関する。
【背景技術】
【０００２】
一般に、マスカラ（ｍａｓｃａｒａ）はまつげが濃くて長く見えるようにするために用いる化粧品で、所定の容器に貯蔵されたマスカラ顔料をブラシ（Ｂｒｕｓｈ）につけて使用する。
【０００３】
このようなマスカラ容器に対する従来の一例として、本出願人により先出願して登録された特許文献１による「ドア機能を有し、抗菌成分を含有する抗菌マスカラ容器」がある。
【０００４】
図１及び図２は、係る従来技術によるマスカラ容器の一例を示した図である。
図１及び図２によれば、一定量のマスカラ顔料が貯蔵され、上部のみ開口された容器本体１と、上記容器本体１の開口部に結合固定されるパッキング３と、上記パッキング３を貫通して容器本体１の開口部に開閉可能に結合される蓋２とを含む。
【０００５】
また、上記蓋２は、その一端部に一体に形成されたブラシバー２ａと、ブラシバー２ａの端部に設置されて容器本体１に貯蔵されたマスカラ顔料が付くブラシ２ｂとを含む。
【０００６】
また、上記パッキング３にヒンジ結合される一方、パッキング３に傾斜するように接触されてパッキング３の管路３ａを塞ぐドア４と、上記パッキング３とドア４のヒンジ部４ａに設置される一方、その両端部がそれぞれパッキング３とドア４に支持されてドア４をパッキング３側に弾圧するように支持する弾性部材４ｄと、上記ドア４に突出して形成され、弾性部材４ｄの一端部が支持されて弾性部材４ｄの回転角を最小化する突出部４ｃとを含む。
【０００７】
このように構成された従来のマスカラ容器は、マスカラを使用するために蓋２を容器本体１から分離させると、蓋２と一緒にブラシバー２ａとブラシ２ｂが容器本体１から引出され、ブラシバー２ａの下端部に形成されたブラシ２ｂがパッキング３の管路３ａに引出される瞬間から弾性部材４ｄの弾性力によってドア４が正転されてパッキング３の下面の傾斜面３ｂに接し、一方、ドア４の上面の挿入突部４ｂがパッキング３の傾斜面３ｂを通じて管路３ａに挿入されて、パッキング３の管路３ａを塞いで閉鎖させることにより、マスカラの使用時にも容器本体１に貯蔵されたマスカラ顔料と空気の接触を最小化することができるようにして、マスカラ顔料が硬化または変質される問題を解決し、製品の使用期間も延長させることができるという利点があった。
【０００８】
しかしながら、従来のマスカラ容器は、蓋２と一緒にブラシバー２ａとブラシ２ｂが容器本体１から引出される時、弾性部材４ｄによって弾力支持されているドア４がブラシ２ｂを押し、それにより、ブラシ２ｂに付いて出るマスカラ顔料がドア４に接触された部分の全体がワイピング（Ｗｉｐｉｎｇ）されるという問題点がある。
【０００９】
また、使用者が眉毛にマスカラ顔料を塗布する時、ブラシが微生物により汚染される虞があり、微生物に汚染されたブラシが容器本体に入ることにより、マスカラ顔料全体が汚染されてしまう。このようにして汚染されたマスカラ顔料を用いることにより、目に対する刺激または目周りのかゆみなどのトラブルの原因を引き起こすことがある。
【先行技術文献】
【特許文献】
【００１０】
【特許文献１】韓国登録特許第１０−１２８９５３３号公報
【特許文献２】韓国登録特許第１０−１３８６３０８号公報
【発明の概要】
【発明が解決しようとする課題】
【００１１】
本発明は、前述した従来技術における問題点を解決するためのもので、本発明の目的は、容器本体で蓋と一体に構成されたブラシがパッキングを通過する時ブラシに付いたマスカラ顔料がブラシに均等に付いた状態にワイピングされるようにするドア機能を有し、抗菌成分を含有する抗菌マスカラ容器を提供することにある。
【００１２】
また、本発明の他の目的は、パッキングによってワイピングされるブラシのワイピング効率を向上させるようにするドア機能を有し、抗菌成分を含有する抗菌マスカラ容器を提供することにある。
【００１３】
また、本発明の他の目的は、マスカラ顔料の微生物の汚染による微生物の繁殖を抑制することができるようにシルバーグラス抗菌成分を含むマスカラ容器を提供することにある。
【課題を解決するための手段】
【００１４】
本発明の上記目的を達するための技術的思想として、ドア機能を有し、抗菌成分を含有する抗菌マスカラ容器は、マスカラ顔料が貯蔵される抗菌成分を含有する容器本体と、上記容器本体に結合固定される抗菌成分を含有するパッキングと、上記パッキングにヒンジ結合されて上記パッキングの管路を塞ぐ抗菌成分を含有するドアと、上記パッキングとドアのヒンジ部に設置される一方、その両端部がそれぞれパッキングとドアに支持されてドアをパッキング側に弾圧支持する弾性部材と、上記ドアの内側に形成されてブラシが引出される時、上記ブラシがドアに押されないようにする押圧防止手段を含み、上記パッキングは、内側パッキングと上記内側パッキングの外周を囲む外側パッキングとで構成され、上記内側パッキングの下端部は、上記外側パッキングの下端部の端面よりも上側に位置し、上記内側パッキングの内部には、上部から下部に行くほどその直径が漸次に凹んで狭くなる、断面の輪郭形状が円形の第１の管路が形成され、上記外側パッキングにおける、上記内側パッキングの下端部よりも下側に位置する内部には、上記第１の管路と連通する第２の管路が形成され、上記外側パッキングの下端部は、上記弾性部材によりパッキング側に弾圧支持される上記ドアの内側と接することにより、上記第２の管路を塞いだ状態に密閉して、該第２の管路および上記第１の管路を遮断するように形成され、上記内側パッキングの下端部と、該内側パッキングの下端部と同じ高さに位置する上記外側パッキングの内壁面との間には、該内側パッキングの下端部が、上記ブラシが引出し方向に上記パッキングを通過する過程で、該ブラシをワイピングしながら弾性変形可能なギャップが形成されている。
【００１５】
また、上記押圧防止手段は、上記ドアの内側方向に突出されたリブで構成される。
【００１６】
また、上記リブは三角形に形成される。
【００１９】
また、本発明によるマスカラ容器、パッキング、ドア、ブラシバー及びブラシにおいて、抗菌成分は、１〜３重量％のシルバーを含有するシルバーグラスで、マスカラ容器、パッキング、ドア、ブラシバー及びブラシに０．１〜３重量％含有されることを特徴とする。
【発明の効果】
【００２０】
本発明を達するための技術的思想として、本発明によるマスカラ容器は、マスカラ顔料が貯蔵される容器本体の上部に結合されたパッキングにヒンジ結合されたドアに押圧防止手段を形成することにより、容器本体で蓋と一体に構成されたブラシがパッキングを通過する時ブラシに付いたマスカラ顔料がブラシに均等に付けられた状態でワイピングされるという効果を奏する。
【００２１】
また、本発明によるマスカラ容器は、パッキングが、内側パッキングと内側パッキングの外周を囲む外側パッキングとで構成され、内側パッキングの下端部は、外側パッキングの下端部の端面よりも上側に位置し、内側パッキングの内部には、上部から下部に行くほどその直径が漸次に凹んで狭くなる、断面の輪郭形状が円形の第１の管路が形成され、外側パッキングにおける、内側パッキングの下端部よりも下側に位置する内部には、第１の管路と連通する第２の管路が形成され、外側パッキングの下端部は、弾性部材によりパッキング側に弾圧支持されるドアの内側と接することにより、第２の管路を塞いだ状態に密閉して、第２の管路および第１の管路を遮断するように形成され、内側パッキングの下端部と、内側パッキングの下端部と同じ高さに位置する外側パッキングの内壁面との間には、内側パッキングの下端部が、ブラシが引出し方向にパッキングを通過する過程で、ブラシをワイピングしながら弾性変形可能なギャップが形成されることにより、パッキングによってワイピングされるブラシのワイピング効果を向上させることができる。
【００２２】
また、マスカラ容器、パッキング、ドア、ブラシバー及びブラシに抗菌成分を含んで微生物の繁殖を抑制することができる。
【図面の簡単な説明】
【００２３】
【図１】従来のマスカラ容器の一例を示した分解断面図である。
【図２】従来のマスカラ容器のパッキングを詳細に示した断面図である。
【図３】本発明によるマスカラ容器の分解斜視図である。
【図４】本発明によるマスカラ容器の断面図である。
【図５】本発明によるマスカラ容器の断面図で、ブラシの引出される前の状態を示す図である。
【図６】本発明によるマスカラ容器の平断面図で、ブラシと押圧防止手段を示した図である。
【図７】本発明によるマスカラ容器でパッキング、ドア及び押圧防止手段を示した分解斜視図である。
【図８】本発明によるマスカラ容器でパッキング、ドア及び押圧防止手段を示した断面図で、ドアが閉鎖された状態の図である。
【図９】本発明によるマスカラ容器でパッキング、ドア及び押圧防止手段を示した断面図で、ドアが開放された状態の図である。
【図１０】シルバーグラス抗菌物質が含まれたマスカラ容器の電子顕微鏡写真である。
【図１１】黄色ブドウ球菌に対して抗菌処理及び無処理サンプルの抗菌試験結果を示した写真である。
【図１２】大腸菌に対して抗菌処理及び無処理サンプルの抗菌試験結果を示した写真である。
【発明を実施するための形態】
【００２４】
以下、本発明の実施例について添付された図面を参照してその構成及び作用を説明する。
【００２５】
図３は本発明によるマスカラ容器の分解斜視図であり、図４は本発明によるマスカラ容器の断面図であり、図５は本発明によるマスカラ容器の断面図で、ブラシの引出される前の状態を示す図であり、図６は本発明によるマスカラ容器の平断面図で、ブラシと押圧防止手段を示した図であり、図７は本発明によるマスカラ容器でパッキング、ドア及び押圧防止手段を示した分解斜視図であり、図８は本発明によるマスカラ容器でパッキング、ドア及び押圧防止手段を示した断面図で、ドアが閉鎖された状態の図であり、図９は本発明によるマスカラ容器でパッキング、ドア及び押圧防止手段を示した断面図で、ドアが開放された状態の図である。
【００２６】
図３〜図９によれば、本発明によるマスカラ容器１００は、容器本体１０、パッキング２０、ドア３０、弾性部材４０、押圧防止手段５０及び蓋６０を含む。
上記容器本体１０は一定量のマスカラ顔料が貯蔵され、上部のみ開口される。
【００２７】
ここで、上記容器本体１０は、図３に示すように、マスカラ顔料が直接充填されて貯蔵される内部容器１１と、この内部容器１１を収容する外部容器１２とで構成された二重容器の構造で形成されることができる。
【００２８】
上記パッキング２０は、上記容器本体１０の開口部に結合固定されるもので、図８、図９に示すように、外側パッキング２０ａと内側パッキング２０ｂとで構成される。内側パッキング２０ｂの下端部は、外側パッキング２０ａの下端部の端面よりも上側に位置する。内側パッキング２０ｂの内部には、上部から下部に行くほどその直径が漸次に凹んで狭くなる、断面の輪郭形状が円形の第１の管路が形成されている。外側パッキング２０ａにおける、内側パッキング２０ｂの下端部よりも下側に位置する内部には、第１の管路と連通する第２の管路が形成されている。そして、第１の管路と第２の管路とで、パッキング２０の内部の管路２１を形成している。外側パッキング２０ａの下端部は、弾性部材４０によりパッキング２０側に弾圧支持されるドア３０の内側と接することにより、第２の管路を塞いだ状態に密閉して、第２の管路および第１の管路を遮断するように形成されている。
【００２９】
また、内側パッキング２０ｂの下端部と、内側パッキング２０ｂの下端部と同じ高さに位置する外側パッキング２０ａの内壁面との間には、内側パッキング２０ａの下端部が、ブラシ６２が引出し方向にパッキング２０を通過する過程で、ブラシ６２をワイピングしながら弾性変形可能なギャップ２２が形成されて、ブラシ６２及びブラシバー６１に付いて出るマスカラ顔料をワイピングしやすく内側パッキング２０ｂの下端部がギャップ２２によって外側パッキング２０ａ側に拡張されるように弾性を有するようになっている。
【００３０】
即ち、従来はパッキングが一体に構成されて金型の構造上管路をワイピングしやすい構造に形成することが難しかったが、これを外側パッキング２０ａと内側パッキング２０ｂとに区分して内側パッキング２０ｂはワイピングが容易な構造に形成し、上記内側パッキング２０ｂを囲む形態に外側パッキング２０ａが形成される。
【００３１】
そして、上記外側パッキング２０ａの下面は平面にすることもでき、約４５°の角度に傾斜するようにすることもできるが、本発明では傾斜面２３を形成した状態を一例として説明し、上記傾斜面２３には後述されるドア３０が回転可能にヒンジ結合されて、上記ドア３０が外側パッキング２０ａの傾斜面２３で回転させられながらパッキング２０の管路２１を開閉させる。
【００３２】
上記ドア３０は、上記パッキング２０にヒンジ結合されて、上記パッキング２０の管路２１を塞ぐもので、パッキング２０の傾斜面２３にその一側が回転可能にヒンジ部３１が形成され、このヒンジ部３１にはドア３０をパッキング２０の傾斜面２３側に回転させて弾力性支持する弾性部材４０が備えられている。
【００３３】
また、上記ドア３０の上面にはドア３０とパッキング２０との間の密閉力を向上させるための挿入突部３２が突出して形成され、上記ドア３０の挿入突部３２はパッキング２０の下面の傾斜面２３を通じて管路２１を形成する第２の管路内に挿入されて結合される。従って、上記ドア３０がパッキング２０の傾斜面２３に接する際はドア３０の挿入突部３２がパッキング２０の下面側の管路２１を形成する第２の管路内に挿入されることにより優れた気密性を有するようになっている。
【００３４】
また、上記ドア３０の挿入突部３２の反対面には突出した突出部３３が形成され、上記突出部３３には弾性部材４０の一端部が接して支持されている。従って、上記ドア３０の下面に突出された突出部３３によってドア３０の開閉時は弾性部材４０の回転角、即ち開閉角度が約６０°未満に最小化されて弾性部材４０の寿命が延長され、それによりマスカラ容器の耐久性が向上される。
【００３５】
上記弾性部材４０は、上記パッキング２０とドア３０のヒンジ部３１との間に設置され、その両端部がそれぞれパッキング２０とドア３０に支持されてドア３０をパッキング２０側に弾圧支持させるようになっている。
【００３６】
また、上記弾性部材４０としては、ドア３０をパッキング２０の傾斜面２３側に回転させる弾性力のみを有するものであれば、どのような部材を用いても構わないが、より容易な設置と円滑な動作のためには、トーションスプリングで構成することが好ましい。従って、上記ドア３０に外力が作用しない限り、上記ドア３０は弾性部材の弾性力によって常にパッキング２０の傾斜面２３に接した状態を保持してパッキング２０の管路２１を塞いで閉じることにより容器本体１０に貯蔵されたマスカラ顔料と空気との間の接触を最大限に遮断することができる。
【００３７】
この時、上記弾性部材４０はその一端部がドア３０の突起部に接して支持され、他端はパッキング２０に接して支持されることにより、上記弾性部材４０によってドア３０に提供される弾性力はドア３０をパッキング２０の下面に回転させる回転力で具現される。従って、容器本体１０から蓋６０を取り外して分離すれば、蓋６０のブラシ６２がパッキング２０の管路２１に挿入される瞬間からドア３０が弾性部材４０によって回転されてパッキング２０の管路２１を塞いで遮断し、蓋６０の結合時はパッキング２０の管路２１を通じて挿入されるブラシ６２とブラシバー６１によってドア３０が弾性部材４０の弾性力を勝って逆回転されて開放された状態を保持する。
【００３８】
押圧防止手段５０は上記ドア３０の内側に形成されてブラシ６２が引出される時上記ブラシ６２がドア３０により押されないようにするもので、上記ドア３０の内側方向に突出されたリブ５１で構成されることが好ましい。
【００３９】
また、上記リブ５１は、四角形、円形または三角形形状などで構成されることができる。
【００４０】
上記蓋６０は上記パッキング２０を貫通して容器本体１０の開口部に開閉可能に結合されるもので、一端部に一体に形成されたブラシバー６１と、上記ブラシバー６１の端部に設置されて容器本体１０に貯蔵されたマスカラ顔料が付いたブラシ６２を含む。
【００４１】
一方、本発明の図面には図示しなかったが、容器本体１０と蓋６０との間には、気密保持のための別途のＯリングが設置されることが好ましい。
【００４２】
以上のように構成された本発明によるマスカラ容器の作動関係を説明する。
【００４３】
まず、マスカラの非使用時に、即ち、蓋６０を容器本体１０に結合すると、図４に示すように、蓋６０に備えられたブラシバー６１とブラシ６２がパッキング２０の管路２１を通じて容器本体１０内に挿入された状態であり、このように挿入されるブラシ６２とブラシバー６１によってパッキング２０の傾斜面２３に接していたドア３０は弾性部材４０の弾性力に勝って逆回転された状態でブラシバー６１に接して開放された状態を保持する。
【００４４】
このような状態で、マスカラを使用するために、蓋６０を容器本体１０から分離させると、蓋６０と一緒にブラシバー６１とブラシ６２が容器本体１０から引出され、ブラシバー６１の下端部に形成されたブラシ６２がパッキング２０の管路２１から引出される瞬間から弾性部材４０の弾性力によってドア３０が図８に示すように正転されてパッキング２０の下面の傾斜面２３に接する一方、ドア３０の上面の挿入突部３２がパッキング２０の傾斜面２３を通じて管路２１を形成する第２の管路内に挿入されてパッキング２０の管路２１を塞いで閉鎖させる。
【００４５】
また、上記ブラシバー６１とブラシ６２がパッキング２０を通過する過程で、ドア３０の押圧防止手段５０であるリブ５１によってブラシ６２がドアに押されることなく、断面の輪郭形状が円形の管路２１が形成された内側パッキング２０ａの下端部でワイピングされるので、ブラシ６２の円周面全体にマスカラ顔料が均等に付いた状態で引出されて使用可能になる。
【００４６】
また、上記ブラシバー６１とブラシ６２がパッキング２０を通過する過程で、マスカラ顔料がワイピングされる内側パッキング２０ｂと外側パッキング２０ａとの間に形成されたギャップ２２によって弾性変形されながらワイピングが容易になる。
【００４７】
従って、本発明によるマスカラ容器１００は、マスカラの非使用時はもちろん、マスカラの使用時にもパッキング２０の下面に備えられたドア３０によって容器本体１０が常に閉じられた状態を保持することにより、容器本体１０に貯蔵されたマスカラ顔料と空気との間の接触が最大限に防止されて、マスカラ顔料の蒸発、硬化、変質などを予め防止することができる。
【００４８】
次に、以上のように構成された本発明によるマスカラ容器の抗菌力について説明する。
【００４９】
容器にマスカラ顔料と接触するマスカラ容器は、射出時に抗菌成分を含有させることにより、マスカラ容器と接触するマスカラ顔料の微生物の繁殖を抑制することができる。必要に応じて、マスカラ容器以外の他の構成品、例えばパッキング、ドア、ブラシバー及びブラシの中の少なくとも一つ以上に抗菌成分を含ませてもよい。
【００５０】
抗菌成分は、１〜３重量％のシルバーを含有するシルバーグラス（ｓｉｌｖｅｒ  ｇｌａｓｓ、ＣＡＳ  Ｎｏ６５９９７−１７−３）であることができる。例えば、１．８重量％のシルバーを含有するシルバーグラスを用いることができる。シルバーグラスを用いる場合、マスカラ容器に効果的に抗菌力を付与することができる。
【００５１】
マスカラ容器の場合、０．１〜３重量％のシルバーグラスを含有することができる。抗菌成分の量が少なすぎる場合、十分な抗菌力を発揮することができず、多すぎる場合、他の物性が低下する。例えば、マスカラ容器の場合、８０重量％の原材料と２０重量％の抗菌マスターバッチで組成することができ、この時、抗菌マスターバッチは９０重量％の原材料と１０重量％のシルバーグラスで組成されることができ、シルバーグラスは１．８重量％のシルバーを含有することができる。また他の例として、マスカラ容器の場合、９９重量％の原材料と１重量％のシルバーグラスで組成することができ、この時、シルバーグラスは１．８重量％のシルバーを含有することができる。上述した含有量の範囲内で、黄色ブドウ球菌に対して９９．９９％以上の抗菌力及び大腸菌に対して１００．００％以上の抗菌力を確保することができる。
【００５２】
表１は、ＪＩＳ  Ｚ２８０１  ２０１０抗菌加工製品−抗菌性試験方法・抗菌効果５項の試験方法によるマスカラ容器の抗菌試験結果を示している。図１０はシルバーグラス抗菌物質が含まれたマスカラ容器の電子顕微鏡写真である。また、図１１は黄色ブドウ球菌に対して抗菌処理及び無処理サンプルの抗菌試験結果を示した写真であり、図１２は大腸菌に対して抗菌処理及び無処理サンプルの抗菌試験結果を示した写真である。
【００５３】
【表１】
0006901745.tif 000002
【００５４】
本発明は添付された図面に示された一実施例を参照して説明したが、当該技術分野における通常の知識を有する者にとって多様な変形及び他の実施例が可能であることを理解すべきである。
【符号の説明】
【００５５】
１００      マスカラ容器
１、１０    容器本体
２          蓋
３          パッキング
４          ドア
１１        内部容器
１２        外部容器
２０        パッキング
２０ａ      外側パッキング
２０ｂ      内側パッキング
２１        管路
２２        ギャップ
２３        傾斜面
３０        ドア
３１        ヒンジ部
３２        挿入突部
３３        突出部
４０        弾性部材
５０        押圧防止手段
５１        リブ
６０        蓋
６１        ブラシバー
６２        ブラシ
【図１】
0006901745.tif 000003
【図２】
0006901745.tif 000004
【図３】
0006901745.tif 000005
【図４】
0006901745.tif 000006
【図５】
0006901745.tif 000007
【図６】
0006901745.tif 000008
【図７】
0006901745.tif 000009
【図８】
0006901745.tif 000010
【図９】
0006901745.tif 000011
【図１０】
0006901745.tif 000012
【図１１】
0006901745.tif 000013
【図１２】
0006901745.tif 000014